(57)【要約】【課題】顧客情報データの内容と調査済み図面データの整合をとるための再調査を行うにあたり、その調査対象の必要な電柱を予想することができる電線引込先推定装置を提供する。【解決手段】顧客情報テーブルから一つの再調査対象の情報を読み取った後、顧客の住居の住所に基づいて、その中心座標を検出する。また再調査対象の住居の引込点の座標の修正先候補として、前記中心座標に最も近い引込点の座標を特定する。そして中心座標と修正先候補との距離が所定の閾値未満か否かを判定し、また修正先候補に対応付けられて前記調査済みデータに記憶される電柱ＩＤと、再調査対象の情報のうちの電柱ＩＤとを比較して、当該電柱ＩＤが一致するか否かを判定する。そして２つの判定結果に基づいて、調査済みデータによって表示される地図上に、再調査対象の住居と当該再調査対象の住居に対する電線の引込元の電柱との間の電線の図柄を異なる色で新たに表示する。【選択図】図１
2008071284.tif 000002
【特許請求の範囲】
【請求項１】
電柱の識別情報と、その電柱に接続された電線の引込先の住居の住所が格納された顧客情報テーブルとを、前記電柱の識別情報毎に記憶する顧客情報テーブル記憶手段と、
住居の住所の中心座標を当該住所ごとに格納した住居座標テーブルを記憶する住居座標テーブル記憶手段と、
電柱の識別情報と、当該電柱の調査済みの座標と、当該電柱に接続された電線の引込先の住居における調査済みの引込点の座標とを前記電柱の識別情報毎に記憶するとともに、それら情報に基づいて、住居を表示する地図上に前記電柱と前記引込点との図柄を少なくとも表示する調査済みデータを記憶する調査済みデータ記憶手段と、
前記顧客情報テーブル記憶手段から前記電柱の識別情報と前記引込先の住居の住所との組合せによる一つの再調査対象の情報を読み取った後、その読み取った再調査対象の情報のうちの住居の住所に基づいて、その住居の中心座標を前記住居座標テーブル記憶手段から読み取る中心座標検出手段と、
前記再調査対象の住居の引込点の座標の修正先候補として、前記中心座標検出手段で読み取った中心座標に最も近い引込点の座標を前記調査済みデータ記憶手段から読み取る修正先候補特定手段と、
前記再調査対象の住居の中心座標と、当該調査対象の住所の引込点の座標の修正先候補との距離が、所定の閾値未満か否かを判定する引込点正当性判定手段と、
前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とを比較して、当該電柱の識別情報が一致するか否かを判定する電柱正当性判定手段と、
前記引込点正当性判定手段の判定結果と前記電柱正当性判定手段の判定結果とに基づいて、前記調査済みデータによって表示される地図上に、前記再調査対象の住居と当該再調査対象の住居に対する電線の引込元の電柱との間の電線の図柄を異なる色で新たに表示する電線引込先推定手段と、
ことを特徴とする電線引込先推定装置。
【請求項２】
前記電線引込先推定手段は、
前記再調査対象の住居の中心座標と、当該調査対象の住所の引込点の座標の修正先候補との距離が前記閾値未満であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第１の色で新たに表示し、
前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第２の色で新たに表示し、
前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが異なる場合には、当該再調査対象の住居の中心座標と当該再調査対象の住居に対する電線の引込元の電柱との間の電線の図柄を第３の色で新たに表示する
ことを特徴とする請求項１に記載の電線引込先推定装置。
【請求項３】
電柱の識別情報と、その電柱に接続された電線の引込先の住居の住所が格納された顧客情報テーブルとを、前記電柱の識別情報毎に記憶する顧客情報テーブル記憶手段と、
住居の住所の中心座標を当該住所ごとに格納した住居座標テーブルを記憶する住居座標テーブル記憶手段と、
電柱の識別情報と、当該電柱の調査済みの座標と、当該電柱に接続された電線の引込先の住居における調査済みの引込点の座標とを前記電柱の識別情報毎に記憶するとともに、それら情報に基づいて、住居を表示する地図上に前記電柱と前記引込点との図柄を少なくとも表示する調査済みデータを記憶する調査済みデータ記憶手段と、を備えた電線引込先推定装置における電線引込先推定方法であって、
前記顧客情報テーブル記憶手段から前記電柱の識別情報と前記引込先の住居の住所との組合せによる一つの再調査対象の情報を読み取った後、その読み取った再調査対象の情報のうちの住居の住所に基づいて、その住居の中心座標を前記住居座標テーブル記憶手段から読み取る中心座標検出処理と、
前記再調査対象の住居の引込点の座標の修正先候補として、前記中心座標検出処理において読み取った中心座標に最も近い引込点の座標を前記調査済みデータ記憶手段から読み取る修正先候補特定処理と、
前記再調査対象の住居の中心座標と、当該調査対象の住所の引込点の座標の修正先候補との距離が、所定の閾値未満か否かを判定する引込点正当性判定処理と、
前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とを比較して、当該電柱の識別情報が一致するか否かを判定する電柱正当性判定処理と、
前記引込点正当性判定処理における判定結果と前記電柱正当性判定処理における判定結果とに基づいて、前記調査済みデータによって表示される地図上に、前記再調査対象の住居と当該再調査対象の住居に対する電線の引込元の電柱との間の電線の図柄を異なる色で新たに表示する電線引込先推定処理と、
を有することを特徴とする電線引込先推定方法。
【請求項４】
前記電線引込先推定処理において、
前記再調査対象の住居の中心座標と、当該調査対象の住所の引込点の座標の修正先候補との距離が前記閾値未満であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第１の色で新たに表示し、
前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第２の色で新たに表示し、
前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが異なる場合には、当該再調査対象の住居の中心座標と当該再調査対象の住居に対する電線の引込元の電柱との間の電線の図柄を第３の色で新たに表示する
ことを特徴とする請求項３に記載の電線引込先推定方法。
【請求項５】
電柱の識別情報と、その電柱に接続された電線の引込先の住居の住所が格納された顧客情報テーブルとを、前記電柱の識別情報毎に記憶する顧客情報テーブル記憶手段と、
住居の住所の中心座標を当該住所ごとに格納した住居座標テーブルを記憶する住居座標テーブル記憶手段と、
電柱の識別情報と、当該電柱の調査済みの座標と、当該電柱に接続された電線の引込先の住居における調査済みの引込点の座標とを前記電柱の識別情報毎に記憶するとともに、それら情報に基づいて、住居を表示する地図上に前記電柱と前記引込点との図柄を少なくとも表示する調査済みデータを記憶する調査済みデータ記憶手段と、を備えた電線引込先推定装置のコンピュータに実行させるプログラムであって、
前記顧客情報テーブル記憶手段から前記電柱の識別情報と前記引込先の住居の住所との組合せによる一つの再調査対象の情報を読み取った後、その読み取った再調査対象の情報のうちの住居の住所に基づいて、その住居の中心座標を前記住居座標テーブル記憶手段から読み取る中心座標検出処理と、
前記再調査対象の住居の引込点の座標の修正先候補として、前記中心座標検出処理において読み取った中心座標に最も近い引込点の座標を前記調査済みデータ記憶手段から読み取る修正先候補特定処理と、
前記再調査対象の住居の中心座標と、当該調査対象の住所の引込点の座標の修正先候補との距離が、所定の閾値未満か否かを判定する引込点正当性判定処理と、
前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とを比較して、当該電柱の識別情報が一致するか否かを判定する電柱正当性判定処理と、
前記引込点正当性判定処理における判定結果と前記電柱正当性判定処理における判定結果とに基づいて、前記調査済みデータによって表示される地図上に、前記再調査対象の住居と当該再調査対象の住居に対する電線の引込元の電柱との間の電線の図柄を異なる色で新たに表示する電線引込先推定処理と、
をコンピュータに実行させるプログラム。
【請求項６】
請求項５に記載のプログラムの処理に加え、前記電線引込先推定処理において、
前記再調査対象の住居の中心座標と、当該調査対象の住所の引込点の座標の修正先候補との距離が前記閾値未満であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第１の色で新たに表示する処理と、
前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第２の色で新たに表示する処理と、
前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが異なる場合には、当該再調査対象の住居の中心座標と当該再調査対象の住居に対する電線の引込元の電柱との間の電線の図柄を第３の色で新たに表示する処理と、
をコンピュータに実行させるプログラム。
【請求項７】
請求項５または請求項６に記載の処理を実行するプログラムを記憶する記録媒体。
【発明の詳細な説明】
【技術分野】
【０００１】
本発明は、電柱に接続された電線の住居への引込先を推定する電線引込先推定装置及び電線引込先推定方法ならびにそのプログラムと記録媒体に関する。
【背景技術】
【０００２】
従来より電力会社や電話会社やケーブルテレビ会社などでは電力線や電話線やその他通信ケーブルなどが、どの電柱からどの住居へ引き込まれているかをデータとして保持している。このデータは例えば、住居を表示する地図上に、電柱と、電線の引込先の住居における引込点と、当該引込点と引込元の電柱とを繋ぐ電線と、の各図柄を表示する調査済み図面データや、顧客の氏名、住所、引込元の電柱の識別番号を対応付けて登録している顧客情報データなどである。なお電線などを地図上に表示する技術が特許文献１に公開されている。
【特許文献１】特開２００４−３３３７６３号公報
【発明の開示】
【発明が解決しようとする課題】
【０００３】
しかしながら、電線の張り替えや住居の新築・取り壊しなどによって、新たな電線が引込先の住居へ引き込まれた場合や、引込元の電柱が変更された場合には、上記調査済み図面データや顧客情報データの内容を変更しなければならない。しかしながらこの変更作業が人手による作業のため、顧客情報データの内容と調査済み図面データの内容とが不整合となり、月日が経過するにつれてその不整合のデータ量が膨大となってしまうことがあった。従って電線の引込元の電柱からどの住居に電線が引き込まれているかの再調査を行う必要があるが、全ての電柱に対して再調査を行うと人手の数や労力が膨大にかかってしまう。
【０００４】
そこでこの発明は、顧客情報データの内容と調査済み図面データの整合をとるための再調査を行うにあたり、その調査の必要な電柱を予想することができる電線引込先推定装置及び電線引込先推定方法ならびにそのプログラムと記録媒体を提供することを目的としている。
【課題を解決するための手段】
【０００５】
上記目的を達成するために、本発明は、電柱の識別情報と、その電柱に接続された電線の引込先の住居の住所が格納された顧客情報テーブルとを、前記電柱の識別情報毎に記憶する顧客情報テーブル記憶手段と、住居の住所の中心座標を当該住所ごとに格納した住居座標テーブルを記憶する住居座標テーブル記憶手段と、電柱の識別情報と、当該電柱の調査済みの座標と、当該電柱に接続された電線の引込先の住居における調査済みの引込点の座標とを前記電柱の識別情報毎に記憶するとともに、それら情報に基づいて、住居を表示する地図上に前記電柱と前記引込点との図柄を少なくとも表示する調査済みデータを記憶する調査済みデータ記憶手段と、前記顧客情報テーブル記憶手段から前記電柱の識別情報と前記引込先の住居の住所との組合せによる一つの再調査対象の情報を読み取った後、その読み取った再調査対象の情報のうちの住居の住所に基づいて、その住居の中心座標を前記住居座標テーブル記憶手段から読み取る中心座標検出手段と、前記再調査対象の住居の引込点の座標の修正先候補として、前記中心座標検出手段で読み取った中心座標に最も近い引込点の座標を前記調査済みデータ記憶手段から読み取る修正先候補特定手段と、前記再調査対象の住居の中心座標と、当該調査対象の住所の引込点の座標の修正先候補との距離が、所定の閾値未満か否かを判定する引込点正当性判定手段と、前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とを比較して、当該電柱の識別情報が一致するか否かを判定する電柱正当性判定手段と、前記引込点正当性判定手段の判定結果と前記電柱正当性判定手段の判定結果とに基づいて、前記調査済みデータによって表示される地図上に、前記再調査対象の住居と当該再調査対象の住居に対する電線の引込元の電柱との間の電線の図柄を異なる色で新たに表示する電線引込先推定手段と、ことを特徴とする電線引込先推定装置である。
【０００６】
また本発明は、上述の電線引込先推定装置において、前記電線引込先推定手段は、前記再調査対象の住居の中心座標と、当該調査対象の住所の引込点の座標の修正先候補との距離が前記閾値未満であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第１の色で新たに表示し、前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第２の色で新たに表示し、前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが異なる場合には、当該再調査対象の住居の中心座標と当該再調査対象の住居に対する電線の引込元の電柱との間の電線の図柄を第３の色で新たに表示することを特徴とする。
【０００７】
また本発明は、電柱の識別情報と、その電柱に接続された電線の引込先の住居の住所が格納された顧客情報テーブルとを、前記電柱の識別情報毎に記憶する顧客情報テーブル記憶手段と、住居の住所の中心座標を当該住所ごとに格納した住居座標テーブルを記憶する住居座標テーブル記憶手段と、電柱の識別情報と、当該電柱の調査済みの座標と、当該電柱に接続された電線の引込先の住居における調査済みの引込点の座標とを前記電柱の識別情報毎に記憶するとともに、それら情報に基づいて、住居を表示する地図上に前記電柱と前記引込点との図柄を少なくとも表示する調査済みデータを記憶する調査済みデータ記憶手段と、を備えた電線引込先推定装置における電線引込先推定方法であって、前記顧客情報テーブル記憶手段から前記電柱の識別情報と前記引込先の住居の住所との組合せによる一つの再調査対象の情報を読み取った後、その読み取った再調査対象の情報のうちの住居の住所に基づいて、その住居の中心座標を前記住居座標テーブル記憶手段から読み取る中心座標検出処理と、前記再調査対象の住居の引込点の座標の修正先候補として、前記中心座標検出処理において読み取った中心座標に最も近い引込点の座標を前記調査済みデータ記憶手段から読み取る修正先候補特定処理と、前記再調査対象の住居の中心座標と、当該調査対象の住所の引込点の座標の修正先候補との距離が、所定の閾値未満か否かを判定する引込点正当性判定処理と、前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とを比較して、当該電柱の識別情報が一致するか否かを判定する電柱正当性判定処理と、前記引込点正当性判定処理における判定結果と前記電柱正当性判定処理における判定結果とに基づいて、前記調査済みデータによって表示される地図上に、前記再調査対象の住居と当該再調査対象の住居に対する電線の引込元の電柱との間の電線の図柄を異なる色で新たに表示する電線引込先推定処理と、を有することを特徴とする電線引込先推定方法である。
【０００８】
また本発明は、前記電線引込先推定処理において、前記再調査対象の住居の中心座標と、当該調査対象の住所の引込点の座標の修正先候補との距離が前記閾値未満であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第１の色で新たに表示し、前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第２の色で新たに表示し、前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが異なる場合には、当該再調査対象の住居の中心座標と当該再調査対象の住居に対する電線の引込元の電柱との間の電線の図柄を第３の色で新たに表示することを特徴とする。
【０００９】
また本発明は、電柱の識別情報と、その電柱に接続された電線の引込先の住居の住所が格納された顧客情報テーブルとを、前記電柱の識別情報毎に記憶する顧客情報テーブル記憶手段と、住居の住所の中心座標を当該住所ごとに格納した住居座標テーブルを記憶する住居座標テーブル記憶手段と、電柱の識別情報と、当該電柱の調査済みの座標と、当該電柱に接続された電線の引込先の住居における調査済みの引込点の座標とを前記電柱の識別情報毎に記憶するとともに、それら情報に基づいて、住居を表示する地図上に前記電柱と前記引込点との図柄を少なくとも表示する調査済みデータを記憶する調査済みデータ記憶手段と、を備えた電線引込先推定装置のコンピュータに実行させるプログラムであって、前記顧客情報テーブル記憶手段から前記電柱の識別情報と前記引込先の住居の住所との組合せによる一つの再調査対象の情報を読み取った後、その読み取った再調査対象の情報のうちの住居の住所に基づいて、その住居の中心座標を前記住居座標テーブル記憶手段から読み取る中心座標検出処理と、前記再調査対象の住居の引込点の座標の修正先候補として、前記中心座標検出処理において読み取った中心座標に最も近い引込点の座標を前記調査済みデータ記憶手段から読み取る修正先候補特定処理と、前記再調査対象の住居の中心座標と、当該調査対象の住所の引込点の座標の修正先候補との距離が、所定の閾値未満か否かを判定する引込点正当性判定処理と、前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とを比較して、当該電柱の識別情報が一致するか否かを判定する電柱正当性判定処理と、前記引込点正当性判定処理における判定結果と前記電柱正当性判定処理における判定結果とに基づいて、前記調査済みデータによって表示される地図上に、前記再調査対象の住居と当該再調査対象の住居に対する電線の引込元の電柱との間の電線の図柄を異なる色で新たに表示する電線引込先推定処理と、をコンピュータに実行させるプログラムである。
【００１０】
また本発明は、上述のプログラムの処理に加え、前記電線引込先推定処理において、前記再調査対象の住居の中心座標と、当該調査対象の住所の引込点の座標の修正先候補との距離が前記閾値未満であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第１の色で新たに表示する処理と、前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが一致する場合には、当該再調査対象の住居の中心座標と当該再調査対象の住居に対する電線の引込元の電柱との間の電線の図柄を第２の色で新たに表示する処理と、前記再調査対象の住居の中心座標と、当該調査対象の住所の引込点の座標の修正先候補との距離が前記閾値以上であり、かつ前記再調査対象の住居の引込点の座標の修正先候補に対応付けられて前記調査済みデータ記憶手段に記憶される電柱の識別情報と、前記顧客情報テーブル記憶手段から読み取った前記再調査対象の情報のうちの電柱の識別情報とが異なる場合には、当該再調査対象の住居の中心座標と当該再調査対象の住居に対する電線の引込元の電柱との間の電線の図柄を第３の色で新たに表示する処理と、をコンピュータに実行させるプログラムである。
【００１１】
また本発明は、上述のプログラムを記憶する記録媒体である。
【発明の効果】
【００１２】
本発明によれば、電線引込先推定装置の処理により、調査済み地図データに基づいて表示された地図上に、第１の色で表示された電線の、引込元の電柱と引込先の住居と、調査済み図面データによって表示されている電線の、引込元の電柱と引込先の住居は同一であるので、調査不要であると判定することができる。また第２の色で表示された電線の、引込元の電柱と引込先の住居と、調査済み図面データによって表示されている電線の、引込元の電柱と引込先の住居とを比較すると、引込点が離れているので、調査済み図面データにおける引込点の情報が誤っている可能性があり、これにより再調査の必要性ありと判定することができる。また第３の色で表示された電線の、引込元の電柱と引込先の住居と、調査済み図面データによって表示されている電線の、引込元の電柱と引込先の住居とを比較すると、引込点が離れており、また電線の引込元の電柱も異なるという判定結果のため、調査済み図面データにおける引込点の情報と引込元の電柱ＩＤの情報が誤っている可能性があり、これにより再調査の必要性ありと判定することができる。また引込点正当性判定部１４の判定結果と、電柱正当性判定部１５の判定結果とに基づいて、電線の色を異なる色で表示するので、どの電柱に接続されている電線を重点的に再調査するべきかどうかを一目で判断することができる。また不要な調査を行う確率が減り、これにより調査者の労力を軽減することができる。
【発明を実施するための最良の形態】
【００１３】
以下、本発明の一実施形態による電線引込先推定装置を図面を参照して説明する。図１は同実施形態による電線引込先推定装置の構成を示すブロック図である。この図において、符号１は電線引込先推定装置である。そして電線引込先推定装置１は、制御部１１、顧客住居中心座標検出部１２、修正先候補特定部１３、引込点正当性判定部１４、電柱正当性判定部１５、電線引込先推定部１６の各処理部と、顧客情報テーブル記憶部１７、住居座標テーブル記憶部１８、調査済み地図データ記憶部１９の各記憶部を備えている。
【００１４】
ここで、顧客情報テーブル記憶部１７は、電柱の識別情報と、その電柱に接続された電線の引込先の住居の住所とを、電柱の識別情報毎に格納した顧客情報テーブルを記憶する。また、住居座標テーブル記憶部１８は、住居の住所の中心座標を当該住所ごとに格納した住居座標テーブルを記憶する。また、調査済み地図データ記憶部１９は、電柱の識別情報と、当該電柱の調査済みの座標と、当該電柱に接続された電線の引込先の住居における調査済みの引込点の座標とを電柱の識別情報毎に記憶するとともに、それら情報に基づいて、住居を表示する地図上に、電柱と、引込点と、当該電柱と引込点とを結ぶ電線と、の図柄などを表示する調査済みデータを記憶する。
【００１５】
そして、顧客住居中心座標検出部１２は、顧客情報テーブル記憶部１７から電柱の識別情報と引込先の住居の住所との組合せによる一つの再調査対象の情報を読み取った後、その読み取った再調査対象の情報のうちの住居の住所に基づいて、その住居の中心座標を住居座標テーブル記憶部１８から読み取る。また修正先候補特定部１３は、再調査対象の住居の引込点の座標の修正先候補として、顧客住居中心座標検出部１２で読み取った中心座標に最も近い引込点の座標を調査済み地図データ記憶部１９から読み取る。また引込点正当性判定部１４は、再調査対象の住居の中心座標と、当該調査対象の住所の引込点の座標の修正先候補との距離が、所定の閾値未満か否かを判定する。また電柱正当性判定部１５は、再調査対象の住居の引込点の座標の修正先候補に対応付けられて調査済み地図データ記憶部１９に記憶される電柱の識別情報と、顧客情報テーブル記憶部１７から読み取った再調査対象の情報のうちの電柱の識別情報とを比較して、当該電柱の識別情報が一致するか否かを判定する。そして、電線引込先推定部１６は、引込点正当性判定部１４の判定結果と電柱正当性判定部１５の判定結果とに基づいて、調査済み図面データによって表示される地図上に、再調査対象の住居と当該再調査対象の住居に対する電線の引込元の電柱との間の電線の図柄を異なる色で新たに表示する。これにより、顧客情報データの内容と調査済み図面データの整合をとるための再調査を行うにあたり、その調査対象の必要な電柱を予想することができる。
【００１６】
次に各記憶部の記憶するデータについて説明する。
図２は顧客情報テーブルのデータ例を示す図である。
この図が示すように、顧客情報テーブルは、電柱のＩＤに対応付けて、その電柱に接続された電線の引込先の住居の住所と、顧客の氏名とを格納している。この顧客情報テーブルは電線の保有元である電力会社や、電線の敷設管理を行う管理業者などが登録したデータであって正確なデータであるものとする。
【００１７】
図３は住居座標テーブルのデータ例を示す図である。
この図が示すように、住居座標テーブルには住居の住所とその中心座標が対応付けて登録されている。このデータは例えば地図作成会社等から提供されるものであり、各住居の正確な緯度経度（中心座標）が記録されている。
【００１８】
図４は調査済み地図データ内に格納されているデータの一部を説明する図である。
この図が示すように調査済み地図データには、電柱のＩＤに対応付けて、当該電柱の調査済みの座標（緯度経度）と、当該電柱に接続された電線の引込先の住居における調査済みの引込点の座標（緯度経度）とが対応付けられて格納されている。またこの他、調査済み地図データ内には、住居の地図情報と、当該地図上に表示する電柱と引込点と、当該電柱と引込点とを結ぶ電線の図柄などが格納されている。
【００１９】
図５は調査済み地図データを用いて表示した地図の例を示す図である。
調査済み地図データを用いて地図を表示する場合には、その表示処理を行う処理部が、調査済み地図データを読み込んで、地図上の電柱の座標に電柱の図柄を表示し、また地図上の引込点の座標に引込点の図柄を表示し、また電柱ＩＤに対応付けられて格納されている電柱の座標と引込点の座標の組合せ毎に、それら座標を結んだ電線の図柄を表示する。なお、調査済み地図データは電線を管理する管理会社などが作成したデータであり、電線の張り替えや住居の新築・取り壊しなどによって、新たな電線が引込先の住居へ引き込まれた場合や、引込もとの電柱が変更された場合の、当該引込点の座標や電線の引込元の電柱の座標の情報が全てについて反映されていないデータであるとする。
【００２０】
図６は本実施形態による電線引込先推定装置の処理フローを示す図である。
次に、図６を用いて本実施形態による電線引込先推定装置の処理フローについて説明する。
ここで、顧客情報テーブルのデータ、住居座標テーブルのデータ、調査済み地図データは、顧客情報テーブル記憶部１７、住居座標テーブル記憶部１８、調査済み地図データ記憶部１９に予め登録されているものとする。
まず、ユーザによって電線引込先推定処理の開始が入力されると、制御部１１がその入力を判定する。すると制御部１１の制御によって顧客住居中心座標検出部１２が顧客情報テーブルから電柱のＩＤと引込先の住居の住所との組合せからなる一つの再調査対象の情報を読み取る。また顧客住居中心座標検出部１２は再調査対象の情報のうち、引込先の住居の住所に対応付けられて、住居座標テーブル記憶部１８に記録されている住居の中心座標（緯度経度）を読み取る。これにより、顧客住居中心座標検出部１２は、一つの再調査対象の住居の中心座標を検出する（ステップＳ１）。
【００２１】
次に修正先候補特定部１３が、顧客住居中心座標検出部１２の検出した中心座標に最も近い引込点の座標を調査済み地図データから読込む。そして修正先候補特定部１３はこの読込んだ引込点の座標を、再調査対象の住居の引込点の修正先候補として特定する（ステップＳ２）。次に、引込点正当性判定部１４は、顧客住居中心座標検出部１２の検出した中心座標と、修正先候補特定部１３が修正先候補として特定した引込点の座標との距離が所定の閾値未満か否かを判定する（ステップＳ３）。この閾値は例えば本実施形態においては、２つの隣り合う住居の各中心座標の平均的な距離であるとするが、中心座標と引込点の関係が再調査対象の住居の敷地内に位置するかどうかを判定できる距離であれば、どのような距離の値であってもよい。そして引込点正当性判定部の処理により、修正先候補として特定した引込点の座標と、調査対象の住居の中心座標と、の距離が閾値未満であれば修正は必要なく、閾値以上であれば顧客情報テーブルに格納されている再調査対象の住居の中心座標の近くの引込点が調査済み地図データに格納されていないことが分かるため、これにより調査済み地図データ内の情報が誤っている可能性があると判定できることとなる。
【００２２】
次に電柱正当性判定部１５が、修正先候補として引込点の座標に対応付けられて調査済み図面データに格納されている電柱ＩＤと、再調査対象の情報のうちの電柱ＩＤとを比較して、電柱ＩＤが一致するか否かを判定する（ステップＳ４）。こにより、調査対象の住居への電線の引込元の電柱が、調査済み図面データに一致するか否かが判定でき、一致しない場合には調査済み図面データに格納され入ている情報が誤っている可能性があると判定できることとなる。
【００２３】
そして次に、電線引込先推定部１６が、調査済み図面データを用いて地図を表示画面に表示する（ステップＳ５）。そして電線引込先推定部１６が、当該地図上に、引込点正当性判定部１４の判定結果と、電柱正当性判定部１５の判定結果とに基づいて、再調査対象の住居と、当該再調査対象の住居に対する電線の引込元の電柱との間の電線の図柄を異なる色で新たに表示する（ステップＳ６）。なお本実施形態においては、調査済み図面データに基づいて地図データを画面に表示する処理は電線引込先推定部１６が行っているものとする。
【００２４】
次に、電線引込先推定部１６の処理の詳細について説明する。上述の電線引込先推定部１６は、引込点正当性判定部１４の処理において、再調査対象の住居の中心座標と、当該調査対象の住所の引込点の座標の修正先候補との距離が閾値未満であると判定され、かつ電柱正当性判定部１５の処理において、再調査対象の住居の引込点の座標である修正先候補に対応付けられて調査済み図面データに格納される電柱ＩＤと、顧客情報テーブル記憶部１７から読み取った再調査対象の情報のうちの電柱ＩＤとが一致すると判定される場合には、当該再調査対象の住居の中心座標と当該再調査対象の住居に対する電線の引込元の電柱との間の電線の図柄を第１の色で新たに表示する。
【００２５】
また、電線引込先推定部１６は、引込点正当性判定部１４の処理において、再調査対象の住居の中心座標と、当該調査対象の住所の引込点の座標の修正先候補との距離が閾値以上であると判定され、かつ電柱正当性判定部１５の処理において、再調査対象の住居の引込点の座標である修正先候補に対応付けられて調査済み図面データに格納される電柱ＩＤと、顧客情報テーブル記憶部１７から読み取った再調査対象の情報のうちの電柱ＩＤとが一致すると判定される場合には、当該再調査対象の住居の中心座標と当該再調査対象の住居に対する電線の引込元の電柱との間の電線の図柄を第２の色で新たに表示する。
【００２６】
また、電線引込先推定部１６は、引込点正当性判定部１４の処理において、再調査対象の住居の中心座標と、当該調査対象の住所の引込点の座標の修正先候補との距離が閾値以上であると判定され、かつ再調査対象の住居の引込点の座標の修正先候補に対応付けられて調査済み図面データに格納される電柱ＩＤと、顧客情報テーブル記憶部１７から読み取った再調査対象の情報のうちの電柱ＩＤとが異なる場合には、当該再調査対象の住居の中心座標と当該再調査対象の住居に対する電線の引込元の電柱との間の電線の図柄を第３の色で新たに表示する。
【００２７】
図７は電線引込先推定装置１の処理によって出力された地図データを示す図である。
この図が示すように電線引込先推定装置１は、引込点正当性判定部１４の判定結果と、電柱正当性判定部１５の判定結果とに基づいて、調査済み図面データを用いて表示画面に表示した地図上に、再調査対象の住居と当該再調査対象の住居に対する電線の引込元の電柱との間の電線の図柄を異なる色で新たに表示する。図７においては第１の色、第２の色、第３の色を異なる破線によって示している。
【００２８】
このように、電線引込先推定装置の処理により、調査済み地図データに基づいて表示された地図上に、第１の色で表示された電線の、引込元の電柱と引込先の住居と、調査済み図面データによって表示されている電線の、引込元の電柱と引込先の住居は同一であるので、調査不要であると判定することができる。また第２の色で表示された電線の、引込元の電柱と引込先の住居と、調査済み図面データによって表示されている電線の、引込元の電柱と引込先の住居とを比較すると、引込点が離れているので、調査済み図面データにおける引込点の情報が誤っている可能性があり、これにより再調査の必要性ありと判定することができる。また第３の色で表示された電線の、引込元の電柱と引込先の住居と、調査済み図面データによって表示されている電線の、引込元の電柱と引込先の住居とを比較すると、引込点が離れており、また電線の引込元の電柱も異なるという判定結果のため、調査済み図面データにおける引込点の情報と引込元の電柱ＩＤの情報が誤っている可能性があり、これにより再調査の必要性ありと判定することができる。また引込点正当性判定部１４の判定結果と、電柱正当性判定部１５の判定結果とに基づいて、電線の色を異なる色で表示するので、どの電柱に接続されている電線を重点的に再調査するべきかどうかを一目で判断することができる。また不要な調査を行う確率が減り、これにより調査者の労力を軽減することができる。
【００２９】
なお上述の電線引込先推定装置１は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３１】
【図１】電線引込先推定装置の構成を示すブロック図である。
【図２】顧客情報テーブルのデータ例を示す図である。
【図３】顧客情報テーブルのデータ例を示す図である。
【図４】調査済み地図データ内に格納されているデータの一部を説明する図である。
【図５】調査済み地図データを用いて表示した地図の例を示す図である。
【図６】電線引込先推定装置の処理フローを示す図である。
【図７】電線引込先推定装置の処理によって出力された地図データを示す図である。
【符号の説明】
【００３２】
１・・・電線引込先推定装置
１１・・・制御部
１２・・・顧客住居中心座標検出部
１３・・・修正先候補特定部
１４・・・引込点正当性判定部
１５・・・電柱正当性判定部
１６・・・電線引込先推定部
１７・・・顧客情報テーブル記憶部
１８・・・住居座標テーブル記憶部
１９・・・調査済み地図データ記憶部
【図１】
2008071284.tif 000003
【図２】
2008071284.tif 000004
【図３】
2008071284.tif 000005
【図４】
2008071284.tif 000006
【図５】
2008071284.tif 000007
【図６】
2008071284.tif 000008
【図７】
2008071284.tif 000009